(57)【特許請求の範囲】
【請求項１】
パネルの裏側のハーネスに接続され同パネルに開口された取付孔を貫通可能に配される第１ハウジングと、
前記パネルの表側のハーネスに接続されて前記第１ハウジングに対して嵌合可能であり、かつ前記取付孔に挿通可能な第２ハウジングと、が具備され、
前記第２ハウジングには、前記第１ハウジングに設けられたフォロワピンと係合するカム溝が形成されたレバー板を有するレバーが、前記レバー板を同第２ハウジングに設けられたレバー収容部に収容して装着され、前記レバーが、第１位置と第２位置との間で往復移動されることにより前記両ハウジングの嵌合と離脱がなされるとともに、
前記レバー収容部の外壁には、前記第２ハウジングが前記取付孔内に正規位置まで挿通されたところで前記取付孔の裏面側の孔縁部に係止して抜け止めする保持片が、内方への撓み変位可能に設けられており、
前記レバー板には、前記レバーが前記両ハウジングが嵌合された前記第２位置にある場合に、前記保持片の内方に対応して同保持片の撓み変位を許容する変位許容凹部が形成されていることを特徴とするパネル取付型コネクタ。
【請求項２】
前記レバーが、前記カム溝を形成した一対のスライド板の基端同士を操作板で連結した構造のスライドレバーである一方、前記第２ハウジングにおける両側面には前記スライド板を進退可能に挿通する挿通路が形成されており、
前記挿通路の外壁に前記保持片が形成されているとともに、前記スライド板に前記変位許容凹部が形成されていることを特徴とする請求項１記載のパネル取付型コネクタ。
【請求項３】
前記第１ハウジングには、同第１ハウジングを前記パネルの前記取付孔を貫通した形態で仮保持する仮保持手段が設けられるとともに、
前記第２ハウジングには、同第２ハウジングが前記第１ハウジングに対して正規嵌合された際には前記仮保持手段による仮保持を解除して前記第２ハウジングを前記第１ハウジングともども前記取付孔に挿通可能とする仮保持解除手段が設けられていることを特徴とする請求項１または請求項２記載のパネル取付型コネクタ。
【発明の詳細な説明】
【技術分野】
【０００１】
本発明は、パネル取付型コネクタに関する。
【背景技術】
【０００２】
従来この種のコネクタとして、下記特許文献１に記載のものが知られている。このものは、パネルの裏側のハーネスに接続された雄側ハウジング（第１ハウジング）と、パネルの表側のハーネスに接続された雌側ハウジング（第２ハウジング）とが備えられ、第１ハウジングが、パネルに開口された取付孔を貫通して複数の弾性部材により待ち受け状態で装着され、この第１ハウジングに対し、第２ハウジングが同第２ハウジングに装着された倍力機構であるスライドレバーの操作によって嵌合されるようになっている。
【先行技術文献】
【特許文献】
【０００３】
【特許文献１】特開２００８−１０３３２５号公報
【発明の概要】
【発明が解決しようとする課題】
【０００４】
上記従来のものでは、最終嵌合状態が、パネルの取付孔の表面側に第２ハウジングが比較的大きく突出した構造であるため、その分パネルの表面側に大きな配設スペースを確保せねばならないという問題があった。また、両ハウジングが正規に嵌合されないまま、すなわち半嵌合状態のままにパネルに装着されることは芳しくなく、その防止策も急務となっていた。  
本発明は上記のような事情に基づいて完成されたものであって、その目的は、省スペースの実現と、ハウジングの半嵌合検知を簡単にかつ正確に行えるようにするところにある。
【課題を解決するための手段】
【０００５】
本発明のパネル取付型コネクタは、パネルの裏側のハーネスに接続され同パネルに開口された取付孔を貫通可能に配される第１ハウジングと、前記パネルの表側のハーネスに接続されて前記第１ハウジングに対して嵌合可能であり、かつ前記取付孔に挿通可能な第２ハウジングと、が具備され、前記第２ハウジングには、前記第１ハウジングに設けられたフォロワピンと係合するカム溝が形成されたレバー板を有するレバーが、前記レバー板を同第２ハウジングに設けられたレバー収容部に収容して装着され、前記レバーが、第１位置と第２位置との間で往復移動されることにより前記両ハウジングの嵌合と離脱がなされるとともに、前記レバー収容部の外壁には、前記第２ハウジングが前記取付孔内に正規位置まで挿通されたところで前記取付孔の裏面側の孔縁部に係止して抜け止めする保持片が、内方への撓み変位可能に設けられており、前記レバー板には、前記レバーが前記両ハウジングが嵌合された前記第２位置にある場合に、前記保持片の内方に対応して同保持片の撓み変位を許容する変位許容凹部が形成されているところに特徴を有する。
【０００６】
レバーが第１位置から第２位置に移動されて両ハウジングが正規嵌合されたのち、第１ハウジングともども第２ハウジングがパネルの取付孔に挿通されると、保持片が取付孔の孔縁と係合することで、レバー板に形成された変位許容凹部に逃がされて撓み変位しつつ押し込まれ、第２ハウジングが正規位置まで押し込まれたところで、保持片が復元変位して取付孔の裏面側の孔縁部に係止し、パネルに対して保持される。  
両ハウジングが半嵌合状態に留められている場合は、レバーが第２位置の手前に留まっているため、レバー板に設けられた変位許容凹部が保持片の内方に整合していない。そのため、第２ハウジングを取付孔に挿通するに際して保持片が撓み変位しようとした場合に、同保持片がレバー板の変位許容凹部の口縁部に当たることで撓み変位することができず、正規位置まで挿通できない。これによりハウジングの半嵌合が検知でき、その場合はレバーを第２位置まで改めて移動させればよい。
【０００７】
最終嵌合状態では、両ハウジングがパネルの裏側に収容された形態にできるから、パネルの取付孔の表側の省スペース化を図ることができる。また、第２ハウジングを、保持片が取付孔を通過して正規位置まで挿通できるか否かにより、両ハウジングが正規嵌合されているか否かを簡単にかつ正確に検知することができる。
【０００８】
また、以下のような構成としてもよい。  
（１）前記レバーが、前記カム溝を形成した一対のスライド板の基端同士を操作板で連結した構造のスライドレバーである一方、前記第２ハウジングにおける両側面には前記スライド板を進退可能に挿通する挿通路が形成されており、
前記挿通路の外壁に前記保持片が形成されているとともに、前記スライド板に前記変位許容凹部が形成されている。  
スライドレバーが押し込まれた際に第２位置の手前に留まっていると、第２ハウジングを正規位置まで挿通するべく取付孔に押し込んだ場合に、保持片が撓み変位できなくて取付孔を通過できないために、第２ハウジングの押し込みが途中で停止され、これにより両ハウジングが半嵌合状態に留まっていることが検知される。スライドレバー形式のコネクタに有効に適用できる。
【０００９】
（２）前記第１ハウジングには、同第１ハウジングを前記パネルの前記取付孔を貫通した形態で仮保持する仮保持手段が設けられるとともに、
前記第２ハウジングには、同第２ハウジングが前記第１ハウジングに対して正規嵌合された際には前記仮保持手段による仮保持を解除して前記第２ハウジングを前記第１ハウジングともども前記取付孔に挿通可能とする仮保持解除手段が設けられている。  
パネルに待ち受け状態で仮保持された第１ハウジングに対して第２ハウジングを嵌合し、レバー操作により正規嵌合したのち第１ハウジングともども第２ハウジングを取付孔に挿通して保持する形式のコネクタについて、ハウジング同士の半嵌合を検知することができる。
【発明の効果】
【００１０】
本発明のパネル取付型コネクタによれば、省スペースの実現と、ハウジングの半嵌合検知を簡単にかつ正確に行うことができる。
【図面の簡単な説明】
【００１１】
【図１】本発明の一実施形態に係る両ハウジングの嵌合前の状態を示す斜視図
【図２】同側面図
【図３】図２のIII−III線断面図
【図４】両ハウジングの嵌合前の状態における嵌合側ハウジング側から視た背面図
【図５】図４のV−V線断面図
【図６】嵌合側ハウジングの正面側から視た斜視図
【図７】スライドレバーの斜視図
【図８】同側面図
【図９】両ハウジングが初期嵌合された状態の側面図
【図１０】図９のX−X線断面図
【図１１】両ハウジングが初期嵌合された状態における図４のV−V線切断相当の断面図
【図１２】両ハウジングが正規嵌合された状態の側面図
【図１３】図１２のXIII−XIII線断面図
【図１４】図１２のXIV−XIV線断面図
【図１５】両ハウジングが正規嵌合された状態の図４のV−V線切断相当の断面図
【図１６】嵌合側ハウジングの取付孔内への押し込み終盤の状態における図１２のXIII−XIII線切断相当の断面図
【図１７】嵌合側ハウジングが本保持された状態の斜視図
【図１８】同側面図
【図１９】図１８のXIX−XIX線断面図
【図２０】嵌合側ハウジングが本保持された状態の図４のV−V線切断相当の断面図
【図２１】両ハウジングが半嵌合に留まった状態の側面図
【図２２】図２１のXXII−XXII線断面図
【図２３】図２１のXXIII−XXIII線断面図
【図２４】両ハウジングが半嵌合に留まった状態の図４のV−V線切断相当の断面図
【発明を実施するための形態】
【００１２】
＜実施形態＞
本発明の一実施形態を図１ないし図２４によって説明する。この実施形態では、自動車のドアの配設部分に設けられるコネクタを例示している。このコネクタは、スライドレバー形式の防水コネクタであって、図１に示すように、車両のホディ側に張設されたパネル１に待ち受け状態で配される待ち受け側ハウジング１０（本発明の第１ハウジングに相当）と、ドア側から引き出されたハーネスの端末に接続されて上記の待ち受け側ハウジング１０に対して嵌合される嵌合側ハウジング３０（本発明の第２ハウジングに相当）とを備えている。  
以下では、各ハウジング１０，３０において、互いに対向した嵌合面側を前側として説明する。
【００１３】
待ち受け側ハウジング１０は雄型ハウジングであって、合成樹脂材により概ね縦長のブロック状に形成され、詳細には、図１ないし図３に示すように、端子収容部１１の前面に、一回り小さい外形のフード部１２が突出形成された構造である。  
端子収容部１１内には複数のキャビティ１４が縦横に並んで列設され、ボディ側に配された機器等から引き出されたハーネスの各電線の端末に接続された雄端子（図示せず）が、対応するキャビティ１４内に後方から挿入され、先端のタブをフード部１２内に突出させた形態で抜け止めされて収容されている。
【００１４】
パネル１には、待ち受け側ハウジング１０の端子収容部１１が略緊密に嵌合される縦長の長方形をなす取付孔２が開口されている。  
一方、端子収容部１１における前端寄りの位置の外周には、上記した取付孔２よりも一回り大きい外形のフランジ１５が全周に亘って張り出し形成され、すなわちフランジ１５は、取付孔２の裏面側（図３の左側）の孔縁部３Ｒに当接可能となっている。
【００１５】
端子収容部１１の前端周縁には、短寸の周壁１６が延出形成されている。但し、左右の側壁には、上下両端部を除いて切欠凹部１６Ａが形成されている。周壁１６の上面の中央幅位置と、左右の側面の下端部寄りの位置（切欠凹部１６Ａの下端部）の都合３箇所に、仮保持片２０（本発明の仮保持手段に相当）が設けられている。仮保持片２０は、先端に取付孔２の表面側（図３の右側）の孔縁部３Ｓに係止する係止部２１を備え、前方に向けて片持ち状に突出形成されており、先端が内方に向けて弾性変位可能となっている。仮保持片２０の係止部２１は、後面が切り立った係止面２２となっている一方、前面側が緩やかな上り勾配のガイド面２３となっている。係止部２１の係止面２２とフランジ１５との間には、パネル１の厚さに略等しい間隙が開けられている。
【００１６】
嵌合側ハウジング３０は雌型ハウジングであって、同じく合成樹脂材により縦長のブロック状に形成されており、詳細には、図３及び図６に示すように、上記した待ち受け側ハウジング１０のフード部１２内に嵌合する端子収容部３１の回りに、厚肉の周壁３２が設けられた２重構造となっている。この周壁３２は、待ち受け側ハウジング１０の端子収容部１１と同じく、パネル１の取付孔２に略緊密に嵌合する外形を有しており、周壁３２と端子収容部３１との間には、待ち受け側ハウジング１０のフード部１２が略緊密に嵌る嵌合溝３３が形成されている。なお、同周壁３２における端子収容部３１の後面から後方に突出した部分は、内面側が削成された薄壁部３２Ａ（図３参照）となっている。
【００１７】
嵌合側ハウジング３０の端子収容部３１には、複数のキャビティ３４が、待ち受け側ハウジング１０の端子収容部３１に設けられたキャビティ１４と対向した配列で形成されている。ドア側に配された機器等から引き出されたハーネスの各電線の端末に接続された雌端子（図示せず）が、対応するキャビティ３４内に後方から挿入され、抜け止めされて収容されている。
【００１８】
嵌合側ハウジング３０には、スライドレバー５０（本発明のレバーに相当）が装着されている。スライドレバー５０は合成樹脂製であって、図７及び図８に示すように、左右一対のスライド板５１（本発明のレバー板に相当）の基端（上端）同士を操作板５２で繋いだ門形形状に形成されている。操作板５２の両端はスライド板５１よりも外方に突出している。  
一方、端子収容部３１の回りの周壁３２のうち左右の側壁には、図３及び図５に示すように、スライドレバー５０の両スライド板５１を上方から挿通可能な一対の挿通路３５（本発明のレバー収容部に相当）が形成されているとともに、上壁には、操作板５２を面一に収める収容凹部３６が形成されている。
【００１９】
スライドレバー５０における両スライド板５１の先端側（図５の下側）には、所定の曲線形状をなすカム溝５３が左右対称に形成されている。カム溝５３の下端側（始端側）に設けられた出入口５４は、スライド板５１の手前側の端縁に開口している。各挿通路３５の前壁における略中央高さ位置には、導入口３７が開口されている。  
一方、待ち受け側ハウジング１０のフード部１２における左右の外側面の前縁寄りの位置には、中央高さ位置において、各カム溝５３に嵌合可能な左右一対のフォロワピン２５が立てられている。
【００２０】
各スライド板５１の前縁部には、下部位置に第１ロック片５７が、上部位置に第２ロック片５８がそれぞれ設けられている。両ロック片５７，５８は先端にロック部５７Ａ，５８Ａを有し、前後方向に弾性変位可能に上向きの姿勢で設けられている。  
一方、各挿通路３５の前壁における上端寄りの所定位置には、図５に示すように、上記の第１ロック片５７のロック部５７Ａ、並びに第２ロック片５８のロック部５８Ａが弾性的に嵌合可能なロック孔３８が形成されている。なお、第２ロック片５８のロック部５８Ａの係止面は順テーパ面に形成され、セミロック構造となっている。
【００２１】
スライドレバー５０（スライド板５１）が挿通路３５に上方から挿通されると、図５に示すように、まず下側の第１ロック片５７のロック部５７Ａがロック孔３８に弾性的に嵌ることで、上方に抜け止めされる。この位置がスライドレバー５０の初期位置であって、カム溝５３の出入口５４と、挿通路３５の導入口３７とが整合した状態となる。  
スライドレバー５０が上記の初期位置にある状態で、嵌合側ハウジング３０が待ち受け側ハウジング１０に嵌合されると、図１１に示すように、待ち受け側ハウジング１０のフォロワピン２５が挿通路３５の導入口３７を通って、出入口５４からカム溝５３の始端に臨む。続いて、スライドレバー５０が押し込まれると、フォロワピン２５がカム溝５３に沿って移動することに伴うカム作用により、両ハウジング１０，３０が互いに引き寄せられるようにして次第に嵌合され、フォロワピン２５がカム溝５３の終端に達したところで両ハウジング１０，３０が正規嵌合される。
【００２２】
最後は、図１５に示すように、フォロワピン２５がカム溝５３の遊び部５５を移動しつつスライドレバー５０が押し込まれ、操作板５２が収容凹部３６に面一に収まったところで押し込みが停止される。このとき上側の第２ロック片５８のロック部５８Ａがロック孔３８に弾性的に嵌ることで上方に抜け止めされ、この位置がスライドレバー５０のロック位置となる（但しセミロック）。  
なお、操作板５２の両端を摘んで第２ロック片５８によるセミロックを解除しつつスライドレバー５０を引き上げると、フォロワピン２５が上記とは逆向きにカム溝５３に沿って移動することで、両ハウジング１０，３０が次第に離脱され、スライドレバー５０が、図１１に示すように、初期位置に至ったところで引き上げ操作が停止される。
【００２３】
嵌合側ハウジング３０の周壁３２における前縁には、図３及び図６に示すように、上面の中央幅位置と、左右の側面の下端部寄りの位置、すなわち待ち受け側ハウジング１０の各仮保持片２０と対向する位置ごとに、仮保持解除板４０（本発明の仮保持解除手段に相当）が形成されている。仮保持解除板４０には、外面側が先細りとなるようにテーパ面４０Ａが形成されている。
図１０に示す状態から、待ち受け側ハウジング１０に対して嵌合側ハウジング３０が次第に嵌合されると、仮保持解除板４０が対向する仮保持片２０に乗り上げて同仮保持片２０を内方に弾性撓みさせ、両ハウジング１０，３０が正規嵌合した状態になると、図１４に示すように、仮保持片２０は、その係止部２１の頂上が周壁１６の外面の位置に退避するまで変位するようになっている。これにより、仮保持片２０によるパネル１の取付孔２への係止が解除される。
【００２４】
嵌合側ハウジング３０の周壁３２における左右の外側面には、図３及び図６に示すように、上下２箇所ずつの対称位置に、本保持片４５（本発明の保持手段に相当）が形成されている。詳細には、本保持片４５は、挿通路３５の外壁３５Ａの前後方向の略中央位置から薄壁部３２Ａの後縁に亘って形成された一対のスリット４４の間において、後方を向いた片持ち状に延出形成され、延出端側が内方に向けて撓み変位可能となっている。挿通路３５の後壁には、撓み変位した本保持片４５の延出端を嵌めて逃がす逃がし凹部４２が形成されている。
【００２５】
本保持片４５の基端寄りの外面には、パネル１の取付孔２の裏面側の孔縁部３Ｒに係止する係止部４６が突出形成されている（図１９参照）。本保持片４５の係止部４６は、図３に示すように、後面が切り立った係止面４７Ａとなっている一方、前面側が上り勾配のガイド面４７Ｂとなっている。  
嵌合側ハウジング３０の周壁３２における薄壁部３２Ａの後縁には、フランジ４８が全周に亘って張り出し形成されている。フランジ４８の前面と、本保持片４５の係止部４６の係止面４７Ａとの間には、所定の間隔（パネル１の厚さの６〜７倍程度）が採られている。
【００２６】
また、図７に示すように、スライドレバー５０の左右のスライド板５１における外面の後縁部の上下２位置、詳細には、同スライドレバー５０がロック位置まで押し込まれた場合における各本保持片４５の内方に対応する位置ごとに、同本保持片４５の延出端の撓み変位を許容する変位許容溝５９（本発明の変位許容凹部に相当）が凹み形成されている。この変位許容溝５９は、本保持片４５が略緊密に嵌る幅を有し、また溝底が後方に向けて深くなるテーパ状に形成されている。
【００２７】
嵌合側ハウジング３０には、図１及び図５に示すように、グロメット６０が装着されるようになっている。グロメット６０はゴム製であって、嵌合側ハウジング３０の後面を覆う長方形の漏斗状をなす本体部６１と、嵌合側ハウジング３０の後面に引き出されたのち一纏めにされたハーネス（図示せず）を挿通するべく本体部６１の中心から突設されたコルゲートチューブ状の電線挿通部６２と、を備えて構成されている。
【００２８】
グロメット６０の本体部６１の開口縁部には、嵌合側ハウジング３０の上記したフランジ４８に対する取付部６４が形成されている。取付部６４は、厚肉で長方形の枠状をなして形成されており、同取付部６４の内周面には、フランジ４８が嵌る嵌合溝６５が全周に亘って形成されている。
グロメット６０の取付部６４の前面には、前方に向けてラッパ状に広がった密着部６６が形成されているとともに、同密着部６６の内周側には、リップ６７が全周に亘って形成されている。
【００２９】
本実施形態のコネクタは上記のような構造であって、続いてその作用について説明する。  
まず、待ち受け側ハウジング１０がパネル１に対して待ち受け状態で仮保持される。それには、待ち受け側ハウジング１０がパネル１の裏側から取付孔２に嵌合されて、仮保持片２０を弾性撓みさせつつ押し込まれ、図３に示すように、フランジ１５が取付孔２の裏面側の孔縁部３Ｒに当たるまで押し込まれたところで、仮保持片２０が復元変位して係止部２１が取付孔２の表面側の孔縁部３Ｓに係止する。これにより待ち受け側ハウジング１０は、図２及び図３に示すように、取付孔２を貫通してフード部１２をパネル１の表面側に突出させた形態において、待ち受け状態で仮保持される。
【００３０】
嵌合側ハウジング３０は、図１及び図６に示すように、グロメット６０が被着されるとともに、スライドレバー５０が初期位置に装着された形態で準備される。この嵌合側ハウジング３０が、図３の矢線に示すように、待ち受け状態に仮保持された待ち受け側ハウジング１０に対して正面から嵌合される。初期嵌合状態では、図１１に示すように、フォロワピン２５が対応するカム溝５３の始端に臨み、続いてスライドレバー５０を押し込むと、既述したカム作用によって、嵌合側ハウジング３０が待ち受け側ハウジング１０に引き寄せられて嵌合が進み、両ハウジング１０，３０が正規嵌合されたのち、図１５に示すように、スライドレバー５０がロック位置に至ってロックされる。
【００３１】
この間に、嵌合側ハウジング３０に設けられた仮保持解除板４０が、待ち受け側ハウジング１０のパネル１に係止している仮保持片２０に乗り上げて内方に次第に撓み変位させ、両ハウジング１０，３０が正規嵌合したところで、図１４に示すように、パネル１の取付孔２の表面側の孔縁部３Ｓに対する係止が解除される。  
続いて、嵌合側ハウジング３０が待ち受け側ハウジング１０ともども取付孔２を通って押し込まれ、終盤になると、図１６に示すように、嵌合側ハウジング３０に設けられた本保持片４５の係止部４６が取付孔２の孔縁部３Ｓに当たることで、同本保持片４５が内方に撓み変位しつつ押し込まれ、併せてグロメット６０の密着部６６が取付孔２の表面側の孔縁部３Ｓに当たる。
【００３２】
さらに嵌合側ハウジング３０が押し込まれると、図１９に示すように、グロメット６０の密着部６６並びにリップ６７が弾縮して取付孔２の表面側の孔縁部３Ｓに押し付けられるとともに、係止部４６が取付孔２を通過することで、本保持片４５が復元変位して同係止部４６が取付孔２の裏面側の孔縁部３Ｒに係止する。これにより、待ち受け側ハウジング１０と正規嵌合された嵌合側ハウジング３０が、パネル１に対して本保持され、併せて取付孔２の表面側の孔縁部３Ｓがシールされることになる。
【００３３】
なお、スライドレバー５０がロック位置まで正規に押し込まれないと、図２１ないし図２４に示すように、両ハウジング１０，３０が正規嵌合には至らず、いわゆる半嵌合状態に留まるおそれがある。しかしながらこの場合は、スライドレバー５０の操作板５２が嵌合側ハウジング３０の周壁３２の上面から突出しているから、嵌合側ハウジング３０を取付孔２内に押し込もうとした場合に、図２４に示すように、操作板５２が取付孔２の孔縁部３Ｓに当たることで嵌合側ハウジング３０の押し込み操作ができず、スライドレバー５０がロック位置まで押し込まれていないことが確認できる。
【００３４】
仮に、スライドレバー５０がロック位置に至っていない状態で、パネル１の取付孔２に押し込まれたとしても、スライドレバー５０がロック位置の手前に留まっている限りは、図２２及び図２３に示すように、嵌合側ハウジング３０に設けられた本保持片４５の内方において、スライド板５１の変位許容溝５９が整合して対応していないから、本保持片４５の係止部４６が取付孔２の孔縁部３Ｓに当たって同本保持片４５を内方に撓み変位させようとしても、本保持片４５の延出端の下面が変位許容溝５９の側縁部に当たって撓み変位することが規制され、嵌合側ハウジング３０がそれ以上押し込まれることが阻止される。これにより、スライドレバー５０がロック位置まで押し込まれていないことが確認できる。  
上記いずれの場合も、スライドレバー５０を改めてロック位置まで押し込んだのち、既述した要領により、嵌合側ハウジング３０を取付孔２に押し込んで本保持するようにすればよい。
【００３５】
本実施形態によれば、最終嵌合状態において、両ハウジング１０，３０がパネル１の裏側に押し込まれた形態となるから、パネル１の取付孔２の表側の省スペース化を図ることができる。また両ハウジング１０，３０の嵌合力を助勢するために嵌合側ハウジング３０にスライドレバー５０を設けているが、最終嵌合状態においてスライドレバー５０もパネル１の裏側に収容されてパネル１の表側に露出しないから、見栄えが良く、また異物がスライドレバー５０の操作板５２に当たる等に起因した誤作動も未然に防止できる。
【００３６】
両ハウジング１０，３０が半嵌合状態に留められている場合は、スライドレバー５０が第２位置の手前に留まっているため、スライド板５１に設けられた変位許容溝５９が本保持片４５の内方に整合していない。そのため、嵌合側ハウジング３０を取付孔２に挿通するに際して本保持片４５が撓み変位しようとした場合に、同本保持片４５がスライド板５１の変位許容溝５９の側縁部に当たることで撓み変位することができず、嵌合側ハウジング３０を正規位置まで挿通できない。これにより両ハウジング１０，３０の半嵌合が検知できる。  
上記のように半嵌合が検知されたら、スライドレバー５０を改めてロック位置まで押し込んだのち、両ハウジング１０，３０をパネル１に装着すればよく、結果、両ハウジング１０，３０が半嵌合のままパネル１に装着される事態が確実に防止される。
【００３７】
＜他の実施形態＞
本発明は上記記述及び図面によって説明した実施形態に限定されるものではなく、例えば次のような実施形態も本発明の技術的範囲に含まれる。  
（１）上記実施形態では、第１ハウジング（待ち受け側ハウジング）と第２ハウジング（嵌合側ハウジング）との嵌合力を助勢するレバーとしてスライドレバーを例示したが、回動式レバーを適用したものであってもよい。  
（２）上記実施形態では、第１ハウジング（待ち受け側ハウジング）がパネルに対して待ち受け状態で仮保持される形式のコネクタを例示したが、第１ハウジングがパネルの表側に引き出された形態において、相手の第２ハウジング（嵌合側ハウジング）が嵌合され、正規嵌合されたのち、第２ハウジングを第１ハウジングともどもパネルの取付孔に挿通して同第２ハウジングをパネルに保持する形式のコネクタにも、本発明は同様に適用することができる。
【００３８】
（３）第１ハウジング（待ち受け側ハウジング）と第２ハウジング（嵌合側ハウジング）とは、雄雌が上記とは逆であってもよい。  
（４）上記実施形態では防水形式のコネクタを例示したが、非防水のパネル取付型コネクタにも、本発明は同様に適用することができる。  
【符号の説明】
【００３９】
１…パネル
２…取付孔
３Ｓ…（取付孔２の）表面側の孔縁部
３Ｒ…（取付孔２の）裏面側の孔縁部
１０…待ち受け側ハウジング（第１ハウジング）
２０…仮保持片（仮保持手段）
２５…フォロワピン
３０…嵌合側ハウジング（第２ハウジング）
３５…挿通路（レバー収容部）
３５Ａ…外壁
４０…仮保持解除板（仮保持解除手段）
４５…本保持片（保持片）
５０…スライドレバー（レバー）
５１…スライド板（レバー板）
５２…操作板
５３…カム溝
５９…変位許容溝（変位許容凹部）
【図１】
0006020930.tif 000002
【図２】
0006020930.tif 000003
【図３】
0006020930.tif 000004
【図４】
0006020930.tif 000005
【図５】
0006020930.tif 000006
【図６】
0006020930.tif 000007
【図７】
0006020930.tif 000008
【図８】
0006020930.tif 000009
【図９】
0006020930.tif 000010
【図１０】
0006020930.tif 000011
【図１１】
0006020930.tif 000012
【図１２】
0006020930.tif 000013
【図１３】
0006020930.tif 000014
【図１４】
0006020930.tif 000015
【図１５】
0006020930.tif 000016
【図１６】
0006020930.tif 000017
【図１７】
0006020930.tif 000018
【図１８】
0006020930.tif 000019
【図１９】
0006020930.tif 000020
【図２０】
0006020930.tif 000021
【図２１】
0006020930.tif 000022
【図２２】
0006020930.tif 000023
【図２３】
0006020930.tif 000024
【図２４】
0006020930.tif 000025